(57)【特許請求の範囲】
【請求項１】
コンテンツを再生する外部映像機器と接続されて用いられる表示装置であって、
前記外部映像機器から入力された前記コンテンツの映像信号の種別を判別する信号判別部と、
判別した前記種別に基づいて、表示設定を行う表示設定部と、
設定した表示設定に基づいて、前記コンテンツを表示する表示部と、
前記外部映像機器に対し前記コンテンツの再生を開始させるための第１の要求信号を送信し、前記表示設定部による表示設定後、前記コンテンツを先頭から再生させるための第２の要求信号を送信する要求信号送信部と、を備え、
前記表示部は、前記第１の要求信号の送信前から前記第２の要求信号の送信後前記コンテンツの再生が開始されるまでの間、映像表示禁止状態を維持することを特徴とする表示装置。
【請求項２】
前記コンテンツの再生開始位置を判別する再生位置判別部を、さらに備え、
前記要求信号送信部は、
前記第１の要求信号を送信し、
判別した前記再生開始位置が前記コンテンツの先頭である場合、前記第２の要求信号を送信し、
前記コンテンツの先頭ではない場合、再生開始位置の判別後、前記コンテンツの再生を一時停止させるための一時停止要求信号を送信し、前記表示設定部による表示設定後、前記コンテンツの再生を再開させるための再開要求信号を送信することを特徴とする請求項１に記載の表示装置。
【請求項３】
前記表示部は、前記コンテンツをスクリーンに投射することを特徴とする請求項１または２に記載の表示装置。
【請求項４】
前記映像信号には、音声信号が付加されており、
前記コンテンツは、映像および音声を含むコンテンツであることを特徴とする請求項１ないし３のいずれか１項に記載の表示装置。
【請求項５】
前記表示設定は、前記表示部の画面表示サイズ設定、リフレッシュレート設定、および画面アスペクト比設定の少なくとも１つを含むことを特徴とする請求項１ないし４のいずれか１項に記載の表示装置。
【請求項６】
コンテンツを再生する外部映像機器と接続されて用いられる表示装置の制御方法であって、
前記表示装置が、
前記外部映像機器から入力された前記コンテンツの映像信号の種別を判別する信号判別ステップと、
判別した前記種別に基づいて、表示設定を行う表示設定ステップと、
設定した表示設定に基づいて、前記コンテンツを表示する表示ステップと、
前記外部映像機器に対し前記コンテンツの再生を開始させるための第１の要求信号を送信し、前記表示設定ステップの後、前記コンテンツを先頭から再生させるための第２の要求信号を送信する要求信号送信ステップと、を実行し、
前記第１の要求信号の送信前から前記第２の要求信号の送信後前記コンテンツの再生が開始されるまでの間、映像表示禁止状態を維持することを特徴とする表示装置の制御方法。
【請求項７】
コンテンツを再生する外部映像機器と接続されて用いられる表示装置であって、
前記外部映像機器から入力された前記コンテンツの映像信号の種別を判別する信号判別部と、
判別した前記種別に基づいて、表示設定を行う表示設定部と、
設定した表示設定に基づいて、前記コンテンツを表示する表示部と、
前記外部映像機器に対し前記コンテンツの再生を開始させるための第１の要求信号を送信し、前記表示設定部による表示設定後、前記コンテンツを先頭から再生させるための第２の要求信号を送信する要求信号送信部と、
前記コンテンツの再生開始位置を判別する再生位置判別部と、を備え、
前記要求信号送信部は、
前記第１の要求信号を送信し、
判別した前記再生開始位置が前記コンテンツの先頭である場合、前記第２の要求信号を送信し、
前記コンテンツの先頭ではない場合、再生開始位置の判別後、前記コンテンツの再生を一時停止させるための一時停止要求信号を送信し、前記表示設定部による表示設定後、前記コンテンツの再生を再開させるための再開要求信号を送信することを特徴とする表示装置。
【請求項８】
コンテンツを再生する外部映像機器と接続されて用いられる表示装置の制御方法であって、
前記表示装置が、
前記外部映像機器から入力された前記コンテンツの映像信号の種別を判別する信号判別ステップと、
判別した前記種別に基づいて、表示設定を行う表示設定ステップと、
設定した表示設定に基づいて、前記コンテンツを表示する表示ステップと、
前記外部映像機器に対し前記コンテンツの再生を開始させるための第１の要求信号を送信し、前記表示設定ステップの後、前記コンテンツを先頭から再生させるための第２の要求信号を送信する要求信号送信ステップと、
前記コンテンツの再生開始位置を判別する再生位置判別ステップと、を実行し、
前記要求信号送信ステップでは、
前記第１の要求信号を送信し、
判別した前記再生開始位置が前記コンテンツの先頭である場合、前記第２の要求信号を送信し、
前記コンテンツの先頭ではない場合、再生開始位置の判別後、前記コンテンツの再生を一時停止させるための一時停止要求信号を送信し、前記表示設定ステップの後、前記コンテンツの再生を再開させるための再開要求信号を送信することを特徴とする表示装置の制御方法。
【発明の詳細な説明】
【技術分野】
【０００１】
本発明は、コンテンツを再生する外部映像機器と接続されて用いられ、外部映像機器によるコンテンツの再生に伴って当該コンテンツを表示する表示装置および表示装置の制御方法に関するものである。
【背景技術】
【０００２】
従来、表示装置として、アナログ映像信号を供給するコンピューターに接続され、コンピューターから入力されるアナログ映像信号を、液晶シャッターの各画素に対応してサンプリングした画像をスクリーン上に投射表示する液晶プロジェクターが知られている（特許文献１参照）。この液晶プロジェクターは、入力されたアナログ映像信号に基づいて、解像度の設定等の表示設定（サンプリングパラメーターの設定）を行い、この表示設定に基づいて、画像を投射表示する。
【先行技術文献】
【特許文献】
【０００３】
【特許文献１】国際公開番号ＷＯ９８／２０４７６号公報
【発明の概要】
【発明が解決しようとする課題】
【０００４】
ところで、近年、コンピューターに代えて、映像のコンテンツを記憶した携帯端末（スマートフォン、ＰＤＡやポータブルレコーダー等）をプロジェクターに接続し、プロジェクターを用いてこのコンテンツを表示するものが知られている。すなわち、携帯端末は、コンテンツの映像信号をプロジェクターに入力し、プロジェクターは、入力された映像信号をスクリーンに投射表示する。そして、このように携帯端末に接続されて用いられるプロジェクターに対しても、上記従来の表示設定を自動設定する構成を適用することが考えられる。
しかしながら、携帯端末を接続した場合、コンテンツを再生する前に、映像信号が得られないことが一般的である。そのため、入力された映像信号に基づいて表示設定を行っている間に、コンテンツが進行してしまい、表示設定に基づいて表示するころには、コンテンツが先まで進んでしまう。ゆえに、コンテンツの先頭が切れて表示されてしまう（いわゆる頭切れ）という問題があった。
【０００５】
本発明は、コンテンツの先頭が切れて表示されるのを防止することができる表示装置および表示装置の制御方法を提供することを課題としている。
【課題を解決するための手段】
【０００６】
本発明の表示装置は、コンテンツを再生する外部映像機器と接続されて用いられる表示装置であって、外部映像機器から入力されたコンテンツの映像信号の種別を判別する信号判別部と、判別した種別に基づいて、表示設定を行う表示設定部と、設定した表示設定に基づいて、コンテンツを表示する表示部と、外部映像機器に対しコンテンツの再生を開始させるための第１の要求信号を送信し、表示設定部による表示設定後、コンテンツを先頭から再生させるための第２の要求信号を送信する要求信号送信部と、を備え、表示部は、第１の要求信号の送信前から第２の要求信号の送信後コンテンツの再生が開始されるまでの間、映像表示禁止状態を維持することを特徴とする。
【０００７】
本発明の表示装置の制御方法は、コンテンツを再生する外部映像機器と接続されて用いられる表示装置の制御方法であって、表示装置が、外部映像機器から入力されたコンテンツの映像信号の種別を判別する信号判別ステップと、判別した種別に基づいて、表示設定を行う表示設定ステップと、設定した表示設定に基づいて、コンテンツを表示する表示ステップと、外部映像機器に対しコンテンツの再生を開始させるための第１の要求信号を送信し、表示設定ステップの後、コンテンツを先頭から再生させるための第２の要求信号を送信する要求信号送信ステップと、を実行し、第１の要求信号の送信前から第２の要求信号の送信後コンテンツの再生が開始されるまでの間、映像表示禁止状態を維持することを特徴とする。
【０００８】
これらの構成によれば、表示設定を行った後に、改めてコンテンツを先頭から再生させるための要求信号（第２の要求信号）を送信するため、第２の要求信号により、コンテンツの進行を先頭に戻すことができる。よって、コンテンツの先頭が切れて表示されることがなく、コンテンツの先頭から表示することができる。なお、ここにいう「再生」とは、厳密には、コンテンツの映像信号を、コンテンツの進行にあわせて順次出力する処理である。
【００１１】
また、コンテンツの再生開始位置を判別する再生位置判別部を、さらに備え、要求信号送信部は、第１の要求信号を送信し、判別した再生開始位置がコンテンツの先頭である場合、第２の要求信号を送信し、コンテンツの先頭ではない場合、再生開始位置の判別後、コンテンツの再生を一時停止させるための一時停止要求信号を送信し、表示設定部による表示設定後、コンテンツの再生を再開させるための再開要求信号を送信することが好ましい。
【００１２】
この構成によれば、コンテンツの再生開始位置が先頭でない場合に、表示設定を行うまでの間、コンテンツの再生を一時停止しておくことで、表示していない状態で映像コンテンツが進行してしまうのを極力抑えることができる。
【００１３】
一方、表示部は、コンテンツをスクリーンに投射することが好ましい。
【００１４】
この構成によれば、スクリーンや壁、ホワイトボード等上にコンテンツを表示させることができる。
【００１５】
また、映像信号には、音声信号が付加されており、コンテンツは、映像および音声を含むコンテンツであることが好ましい。
【００１６】
この構成によれば、映像と共に再生される音声についても、先頭から再生されるので、音声についても、先頭が切れて出力されるのを防止することができる。
【００１７】
さらに、表示設定は、表示部の画面表示サイズ設定、リフレッシュレート設定および画面アスペクト比設定の少なくとも１つを含むことが好ましい。
本発明の他の表示装置は、コンテンツを再生する外部映像機器と接続されて用いられる表示装置であって、外部映像機器から入力されたコンテンツの映像信号の種別を判別する信号判別部と、判別した種別に基づいて、表示設定を行う表示設定部と、設定した表示設定に基づいて、コンテンツを表示する表示部と、外部映像機器に対しコンテンツの再生を開始させるための第１の要求信号を送信し、表示設定部による表示設定後、コンテンツを先頭から再生させるための第２の要求信号を送信する要求信号送信部と、コンテンツの再生開始位置を判別する再生位置判別部と、を備え、要求信号送信部は、第１の要求信号を送信し、判別した再生開始位置がコンテンツの先頭である場合、第２の要求信号を送信し、コンテンツの先頭ではない場合、再生開始位置の判別後、コンテンツの再生を一時停止させるための一時停止要求信号を送信し、表示設定部による表示設定後、コンテンツの再生を再開させるための再開要求信号を送信することを特徴とする。
本発明の他の表示装置の制御方法は、コンテンツを再生する外部映像機器と接続されて用いられる表示装置の制御方法であって、表示装置が、外部映像機器から入力されたコンテンツの映像信号の種別を判別する信号判別ステップと、判別した種別に基づいて、表示設定を行う表示設定ステップと、設定した表示設定に基づいて、コンテンツを表示する表示ステップと、外部映像機器に対しコンテンツの再生を開始させるための第１の要求信号を送信し、表示設定ステップの後、コンテンツを先頭から再生させるための第２の要求信号を送信する要求信号送信ステップと、コンテンツの再生開始位置を判別する再生位置判別ステップと、を実行し、要求信号送信ステップでは、第１の要求信号を送信し、判別した再生開始位置がコンテンツの先頭である場合、第２の要求信号を送信し、コンテンツの先頭ではない場合、再生開始位置の判別後、コンテンツの再生を一時停止させるための一時停止要求信号を送信し、表示設定ステップの後、コンテンツの再生を再開させるための再開要求信号を送信することを特徴とする。
【００１８】
この構成によれば、画面表示サイズ設定、リフレッシュレート設定や画面アスペクト比設定を、コンテンツの映像信号の種別に基づいて行うことができる。
【図面の簡単な説明】
【００１９】
【図１】実施形態に係る映像表示システムのシステム構成図である。
【図２】映像表示システムの機能ブロック図である。
【図３】映像表示システムによる映像表示動作の前半（Ｓ１〜Ｓ１７）を示したフローチャートである。
【図４】映像表示システムによる映像表示動作の後半における一方の分岐フロー（Ｓ１８〜Ｓ２６）を示したフローチャートである。
【図５】映像表示システムによる映像表示動作の後半における他方の分岐フロー（Ｓ２７〜Ｓ３８）を示したフローチャートである。
【発明を実施するための形態】
【００２０】
以下、添付の図面を参照し、本発明の一実施形態に係る表示装置および表示装置の制御方法について説明する。本実施形態では、表示装置であるプロジェクターを構成要素とする映像表示システムを例示する。図１に示すように、映像表示システム１は、映像コンテンツ（コンテンツ）を再生する外部映像機器２と、外部映像機器２にケーブル４を介して接続されて用いられるプロジェクター３とにより、構成されている。すなわち、外部映像機器２に記憶されている映像コンテンツを、プロジェクター３を用いてスクリーンＳに投射表示する。
【００２１】
外部映像機器２は、スマートフォンやＰＤＡ、ポータブルレコーダー等の、映像コンテンツ再生前に信号種別の判別ができない所定の外部映像機器（以下、「携帯端末」と称する）と、ＤＶＤレコーダー等の、映像コンテンツ再生前に信号種別の判別ができる上記所定の外部映像機器以外の外部映像機器とを利用可能であり、いずれも通信部１１、制御部１２および記憶部１３を有している。通信部１１は、ケーブル４が接続されプロジェクター３との通信を行う。制御部１２は、外部映像機器２を統括制御する。記憶部１３は、映像コンテンツを含む各種情報を記憶する。
【００２２】
プロジェクター３は、ケーブル４が接続され外部映像機器２との通信を行う通信部２１と、スクリーンＳに映像を投射する投射光学系２２と、音声を出力するスピーカー２３と、これらを制御する制御部２４と、を備えている。また、プロジェクター３には、表示パネル２５および各種操作子２６を有した操作パネル２７が配設されており、ユーザーによって各種設定操作が可能な構成となっている。
【００２３】
投射光学系２２は、スクリーンＳ上に画像を投射するものであり、光源ランプ３１、液晶ライトバルブ３２、投射レンズ３３、ランプ駆動部３４およびライトバルブ駆動部３５を有している。
【００２４】
光源ランプ３１としては、ハロゲンランプ、メタルハライドランプまたは高圧水銀ランプを適用可能である。また、光源ランプ３１に代えて、レーザーやＬＥＤなどの固体光源を用いても良い。液晶ライトバルブ３２は、一対の透明基板間に液晶が封入された液晶パネル等によって構成され、各透明基板の内面には、液晶に対して微小領域毎に駆動電圧を印加可能な透明電極が、画素としてマトリクス状に形成されている。ランプ駆動部３４は、制御部２４からの点灯指令に基づいて、光源ランプ３１を点灯させる。ライトバルブ駆動部３５は、液晶ライトバルブ３２の各画素に、投射画像に応じた駆動電圧を印加することにより、各画素の光透過率を設定する。
【００２５】
上記の構成により、投射光学系２２では、光源ランプ３１から射出された照明光が、液晶ライトバルブ３２を透過することによって変調される。また、変調された画像光は、不図示の光合成光学系（ダイクロイックプリズムなど）により画素毎に合成され、投射レンズ３３によってスクリーンＳ上に投射される。
【００２６】
制御部２４は、ＣＰＵ３６、ＲＯＭ３７およびＲＡＭ３８等により構成される。ＣＰＵ３６は、各種演算処理を行う中央処理装置であり、各部との信号の入出力を行うことによりプロジェクター３を統括制御する。ＲＯＭ３７は、ＣＰＵ３６が各種演算処理を行うために用いられる制御プログラムおよび制御データを記憶している。また、ＲＯＭ３７には、基本ソフトウェアであるＯＳ（Ｏｐｅｒａｔｉｎｇ  Ｓｙｓｔｅｍ）も記憶されている。ＲＡＭ３８は、ＣＰＵ３６が各種演算処理を行う際の作業領域として用いられる。
【００２７】
ここで図２の機能ブロック図を参照して、外部映像機器２およびプロジェクター３の機能構成について説明する。図２に示すように、外部映像機器２は、コンテンツ記憶部４１と、コンテンツリスト作成部４２と、制御コマンド受信部４３と、映像再生部４４と、を備えている。
【００２８】
コンテンツ記憶部４１は、記憶部１３を主要部とし、映像コンテンツを１以上記憶する。なお、映像コンテンツは、相互に同期する映像および音声を含んでいる。コンテンツリスト作成部４２は、コンテンツ記憶部４１に記憶された映像コンテンツのリストであるコンテンツリストを作成する。
【００２９】
制御コマンド受信部４３は、通信部１１を主要部とし、プロジェクター３からの制御コマンド（要求信号）を受信する。制御コマンドとしては、映像コンテンツの再生を開始させるための再生コマンドと、映像コンテンツを先頭から再生させるための巻戻しコマンドと、映像コンテンツの再生を一時停止させるための一時停止コマンドと、一時停止を解除して映像コンテンツの再生を再開させるための再開コマンド、などがある。なお、再生コマンドでは、外部映像機器２に予め記憶された再生位置から、映像コンテンツを再生させる。すなわち、再生位置として、映像コンテンツの先頭が記憶されている場合、先頭から映像コンテンツを再生させる。一方、映像コンテンツの再生を一度中断すると、外部映像機器２に映像コンテンツの途中を示す再生位置が記憶されるが、かかる場合、映像コンテンツの途中から再生を開始させる。
【００３０】
映像再生部４４は、通信部１１を主要部とし、プロジェクター３からの制御コマンドを受けて、映像コンテンツの再生を制御する。映像再生部４４による映像コンテンツの再生では、映像コンテンツの進行に伴って、順次当該映像コンテンツの映像信号をプロジェクター３に出力（送信）する。なお、映像信号には、音声信号が付加されており、映像信号と共に、音声信号を順次出力する。
【００３１】
プロジェクター３は、コンテンツリスト表示部５１と、再生操作部５２と、制御コマンド送信部（要求信号送信部）５３と、信号入力部５４と、音声出力部５５と、映像機器判別部５６と、再生位置判別部５７と、信号判別部５８と、投射設定部（表示設定部）５９と、投射画像生成部６０と、映像投射部６１と、を備えている。なお、請求項にいう表示部は、投射画像生成部６０および映像投射部６１により構成されている。
【００３２】
コンテンツリスト表示部５１は、通信部２１および表示パネル２５を主要部とし、外部映像機器２から上記コンテンツリストを取得すると共に、当該コンテンツリストを表示パネル２５上で表示する。再生操作部５２は、各種操作子２６を主要部とし、表示したコンテンツリスト中から、再生する映像コンテンツを選択操作するためのものである。
【００３３】
制御コマンド送信部５３は、通信部２１を主要部とし、上記制御コマンド（再生コマンド、巻戻しコマンド、一時停止コマンドおよび再開コマンド）を外部映像機器２に送信する。すなわち、プロジェクター３は、制御コマンドの適宜送信することによって、外部映像機器２での映像コンテンツの再生制御を要求する。
【００３４】
信号入力部５４は、通信部２１を主要部とし、外部映像機器２からの映像コンテンツの映像信号を順次プロジェクター３に入力する。かかる際、映像信号を、これに付加した音声信号と共に入力する。音声出力部５５は、スピーカー２３を主要部とし、入力された音声信号を順次、音声出力する。
【００３５】
映像機器判別部５６は、外部映像機器２を接続した際、接続した外部映像機器２の種別を判別する。厳密には、映像機器判別部５６は、接続した外部映像機器２が携帯端末であるか否かを判別する。再生位置判別部５７は、入力された映像信号に基づいて、映像コンテンツの再生開始位置を判別する。厳密には、再生位置判別部５７は、映像コンテンツの再生開始位置が、映像コンテンツの先頭であるか否かを判別する。
【００３６】
信号判別部５８は、入力された映像信号に基づいて、映像コンテンツの映像信号の種別を判別する。ここにいう種別とは、画面表示サイズ、リフレッシュレート、画面アスペクト比および映像信号方式（ＲＧＢ信号、コンポーネント信号もしくはコンポジット信号等）を定めた映像信号の規格である。投射設定部５９は、判別した種別に基づいて、入力された映像信号に対する投射設定（表示設定：デバイス設定）を行う。投射設定には、投射画像生成部６０の画面表示サイズ設定、リフレッシュレート設定、および画面アスペクト比設定等が含まれており、これらの設定を、判別した種別に応じた最適な設定値に設定する。なお、その他、映像信号の種別に合わせて、信号変換方式の設定を行う構成であっても良い。
【００３７】
投射画像生成部６０は、投射設定部５９による投射設定に基づいて、入力された映像信号から投射画像を生成する。すなわち、投射設定部５９により設定した画面表示サイズ、リフレッシュレートおよび画面アスペクト比により、投射画像を生成する。
【００３８】
映像投射部６１は、投射光学系２２を主要部とし、生成された投射画像をスクリーンＳ上に投射表示する。すなわち、映像コンテンツの映像信号が順次入力されるので、これに基づく投射画像を順次スクリーンＳに投射表示していく。これにより、映像コンテンツの映像信号をスクリーンＳに投射表示する。なお、映像投射部６１による映像の投射表示と、音声出力部５５による音声の出力とは同期して行われる。
【００３９】
次に図３ないし図５を参照して、映像表示システム１による映像表示動作について説明する。本映像表示動作は、外部映像機器２をプロジェクター３に接続するのに起因して開始する。
【００４０】
図３に示すように、外部映像機器２がプロジェクター３に接続されると（Ｓ１：Ｙｅｓ）、プロジェクター３は、映像機器判別部５６により、接続した外部映像機器２が携帯端末であるか否かを判別する（Ｓ２）。
【００４１】
外部映像機器２が携帯端末ではない場合（Ｓ３：Ｎｏ）には、映像コンテンツ再生前に映像信号の種別を判別可能な外部映像機器であるため、プロジェクター３は、まず、信号判別部５８により、映像信号の種別を判別し（Ｓ４）、投射設定部５９により、判別した種別に基づいて当該映像信号に対する投射設定を行う（Ｓ５）。これによって、最適な各設定値で映像信号を投射可能な状態になる。その後、外部映像機器２から映像コンテンツの映像信号が順次出力されるので、信号入力部５４により、これをプロジェクター３自身に入力する（Ｓ６）。そして、投射画像生成部６０により、投射設定部５９による投射設定（設定結果）に基づいて、映像信号から投射画像を順次生成し（Ｓ７）、映像投射部６１により生成した投射画像を投射表示していく（Ｓ８）。これにより本映像表示動作を終了する。
【００４２】
一方、外部映像機器２が携帯端末である場合（Ｓ３：Ｙｅｓ）には、プロジェクター３は、コンテンツリスト表示部５１により、コンテンツリストを表示する（Ｓ９）。具体的には、外部映像機器２からコンテンツリストを取得し、これを表示パネル２５上に表示する。コンテンツリストを表示したら、ユーザーによる選択操作待ちの状態に移行する（Ｓ１０）。
【００４３】
ユーザーによって映像コンテンツが選択されたら（Ｓ１０：Ｙｅｓ）、投射画像生成部６０を映像表示禁止状態（ブラックアウト化）に移行し（Ｓ１１）、その後、制御コマンド送信部５３により、選択された映像コンテンツを再生させるための再生コマンド（第１の要求信号）を外部映像機器２に送信する（Ｓ１２：要求信号送信ステップ）。なお、映像表示禁止状態とは、映像信号による投射表示を拒否する状態であり、いわゆる映像ミュート（ＡＶミュート）の状態である。
【００４４】
これに対し、外部映像機器２は、制御コマンド受信部４３により、再生コマンドを受信し（Ｓ１３）、映像再生部４４により、再生コマンドに従って、選択された映像コンテンツを再生する（Ｓ１４）。すなわち、選択された映像コンテンツの映像信号を順次出力する。
【００４５】
映像信号が出力されたら、プロジェクター３は、信号入力部５４により、これをプロジェクター３自身に入力する（Ｓ１５）。そして、再生位置判別部５７により、入力された映像信号に基づいて、再生コマンドに伴う映像コンテンツの再生開始位置を判別する（Ｓ１６）。判別した再生開始位置が映像コンテンツの先頭である場合（Ｓ１７：Ｙｅｓ）には、図４に示すように、映像機器判別部５６により、入力された映像信号に基づいて、映像信号の種別を判別し（Ｓ１８：信号判別ステップ）、投射設定部５９により、判別した種別に基づいて当該映像信号に対する投射設定を行う（Ｓ１９：表示設定ステップ）。これによって、最適な各設定値で映像信号を投射可能な状態になる。そして、投射設定部５９による設定後、制御コマンド送信部５３により、巻戻しコマンド（第２の要求信号）を送信し（Ｓ２０：要求信号送信ステップ）、その後、投射画像生成部６０の映像表示禁止状態を解除する（Ｓ２１）。すなわち、投射画像生成部６０は、本ケースでは、再生コマンドの送信前から巻戻しコマンドの送信後、映像コンテンツの再生が開始されるまでの間、映像表示禁止状態を維持する。
【００４６】
これに対し、外部映像機器２は、制御コマンド受信部４３により、巻戻しコマンドを受信し（Ｓ２２）、映像再生部４４により、巻戻しコマンドに従って、再生中の映像コンテンツを先頭から再生する（Ｓ２３）。すなわち、先頭から映像コンテンツの映像信号を順次出力する。
【００４７】
映像信号が順次出力されたら、信号入力部５４により、これをプロジェクター３自身に入力する（Ｓ２４）。そして、投射画像生成部６０により、投射設定部５９による投射設定（設定結果）に基づいて、映像信号から投射画像を順次生成し（Ｓ２５）、映像投射部６１により生成した投射画像を投射表示していく（Ｓ２６：表示ステップ）。これにより本映像表示動作を終了する。
【００４８】
また、判別した再生開始位置が映像コンテンツの先頭ではない場合（Ｓ１７：Ｎｏ）には、再生開始位置の判別後、図５に示すように、制御コマンド送信部５３により、一時停止コマンド（一時停止要求信号）を外部映像機器２に送信する（Ｓ２７）。これに対し、外部映像機器２は、制御コマンド受信部４３により、一時停止コマンドを受信し（Ｓ２８）、映像再生部４４により、一時停止コマンドに従って、映像コンテンツの再生を一時停止する（Ｓ２９）。その後、プロジェクター３は、映像機器判別部５６により、入力された映像信号に基づいて、当該映像信号の種別を判別し（Ｓ３０）、投射設定部５９により、判別した種別に基づいて当該映像信号に対する投射設定を行う（Ｓ３１）。これによって、最適な各設定値で映像信号を投射可能な状態になる。そして、投射設定部５９による設定後、制御コマンド送信部５３により、再開コマンド（再開要求信号）を送信し（Ｓ３２）、その後、投射画像生成部６０の映像表示禁止状態を解除する（Ｓ３３）。すなわち、投射画像生成部６０は、本ケースでは、再生コマンドの送信前から再開コマンドの送信後、映像コンテンツの再生が再開されるまでの間、映像表示禁止状態を維持する。
【００４９】
これに対し、外部映像機器２は、制御コマンド受信部４３により、再開コマンドを受信し（Ｓ３４）、映像再生部４４により、再開コマンドに従って、一時停止中の映像コンテンツの再生を再開する（Ｓ３５）。すなわち、一時停止位置から映像コンテンツの映像信号を順次出力する。
【００５０】
映像信号が順次出力されたら、信号入力部５４により、これをプロジェクター３自身に入力する（Ｓ３６）。そして、投射画像生成部６０により、投射設定部５９による投射設定（設定結果）に基づいて、映像信号から投射画像を順次生成し（Ｓ３７）、映像投射部６１により生成した投射画像を投射表示していく（Ｓ３８）。これにより本映像表示動作を終了する。
【００５１】
なお、図示省略したが、映像信号の入力（Ｓ６、Ｓ１５、Ｓ２４およびＳ３６）に伴って、信号入力部５４により、映像信号に付加された音声信号を入力し、音声出力部５５により、投射画像の投射（Ｓ８、Ｓ２６およびＳ３８）と同期して音声信号を音声出力する。また、投射画像生成部６０が映像表示禁止状態の際には、音声出力部５５をミュート状態（無音声状態）にする。
【００５２】
以上のような構成によれば、判別した再生開始位置が映像コンテンツの先頭である場合、投射設定を行った後に、改めてコンテンツを先頭から再生させるための巻戻しコマンドを送信するため、巻戻しコマンドにより、コンテンツの進行を先頭に戻すことができる。よって、コンテンツの先頭が切れて表示されることがなく、コンテンツの先頭から表示することができる。
【００５３】
また、再生コマンドの送信前から巻戻しコマンドの送信後、コンテンツの再生が開始されるまでの間、映像表示禁止状態を維持することで、映像信号に合った投射設定が行われていない状態で、映像信号が表示されるのを防止することができる。
【００５４】
さらに、コンテンツの再生開始位置が先頭でない場合に、投射設定を行うまでの間、コンテンツの再生を一時停止しておくことで、表示していない状態で、映像コンテンツが進行してしまうのを極力抑えることができる。
【００５５】
またさらに、巻戻しコマンドにより、映像と共に再生される音声についても、先頭から再生されるので、音声についても、先頭が切れて出力されるのを防止することができる。
【００５６】
なお、本実施形態においては、投射設定が、投射画像生成部６０の画面表示サイズ設定、リフレッシュレート設定、および画面アスペクト比設定等が含む構成であったが、これらのうち少なくとも１つを含む構成であれば良く、例えば、映像信号の種別に基づいて、これらのうち１つの設定のみを行う構成であっても良い。
【００５７】
また、本実施形態においては、再生コマンドを送信した場合に、外部映像機器２に映像コンテンツの再生位置が記憶されているとき、記憶されている再生位置に応じて、映像コンテンツの再生開始位置を決定する構成であったが、プロジェクター３側で、映像コンテンツの再生開始位置を選択する構成であっても良い。
【００５８】
さらに、本実施形態においては、映像および音声を含む映像コンテンツに本発明を適用したが、映像のみの映像コンテンツに本発明を適用しても良いし、音声のみの音声コンテンツに本発明を適用しても良い。
【符号の説明】
【００５９】
２：外部映像機器、  ３：プロジェクター、  ５３：制御コマンド送信部、  ５７：再生位置判別部、  ５８：信号判別部、  ５９：投射設定部、  ６０：投射画像生成部、  ６１：映像投射部、  Ｓ：スクリーン
【図１】
0005891709.tif 000002
【図２】
0005891709.tif 000003
【図３】
0005891709.tif 000004
【図４】
0005891709.tif 000005
【図５】
0005891709.tif 000006